(57)【要約】【課題】グレーチング装置において、いたずら等によるグレーチングの取り外しをしにくくするとともに、メンテナンスの際には、仮にグレーチングが複数使用されている場合も、グレーチングの取り外し及び取り付けを簡単に行うことができるものを提供する。【解決手段】グレーチング装置(G)は、受枠(1)と、受枠(1)に装着されるグレーチング(2)とを備えている。受枠(1)は、嵌め入れられたグレーチング(2)が収まり位置で外れないように止める係止突起を有している。グレーチング(2)は、受枠(1)内の収まり位置で係止突起と係止する係止部を有し収まり位置からずらすことで係止状態を解除して受枠(1)から外れる差込係止部材(2a,2b)と、受枠(1)に固定するための固定手段を有し受枠(1)に差込係止部材(2a,2b)を係止したときの受枠(1)の空き端部(17)に収まり、差込係止部材(2a,2b)のずれを止める端部止め部材(2c)とを備えている。【選択図】図１
2010248863.tif 000002
【特許請求の範囲】
【請求項１】
排水部に設置するグレーチング装置であって、
グレーチングの受枠(1)と、該受枠(1)内に嵌め入れて装着するグレーチング(2)を備えており、
前記受枠(1)は、内方に向けて所要間隔で複数のグレーチング(2)の係止手段(12,13,14)が設けられている側壁部(10)と、該側壁部(10)から内方に向けて設けられているグレーチングの載置部(11)を有し、
前記グレーチング(2)は、
前記係止手段(12,13,14)の間又は係止手段(12,13,14)と受枠(1)端の間の開口(18,19)から受枠(1)に入れられ、載置部(11)上を滑動して前記係止手段(12,13,14)の位置まで移動して設置し、設置後は前記係止手段(12,13,14)によって上方への取り外しができない係止グレーチング要素(2a,2b)と、
該係止グレーチング要素(2a,2b)を受枠(1)内に設置した後の受枠(1)端側の開口(17)を閉鎖し、受枠(1)に固着要素(15,16)で固着する固着グレーチング要素(2c)を備えている、
グレーチング装置。
【請求項２】
係止グレーチング要素は一又は二以上であり、固着グレーチング要素は単一である、
請求項１記載のグレーチング装置。  
【請求項３】
施工部の口部に固定される受枠(1)と、
受枠(1)に装着されるグレーチング(2)と、
を備えており、
グレーチング(2)は、
受枠(1)に対し嵌め入れて位置を収まり位置にずらすことによって、その位置において外れないように係止される所要数の差込係止部材(2a,2b)と、
受枠(1)に差込係止部材(2a,2b)を係止した状態で、受枠(1)の空き端部(17)に嵌め入れて固定することにより差込係止部材(2a,2b)のずれを止める端部止め部材(2c)と、
を備えている、
グレーチング装置。
【請求項４】
施工部の口部に固定される受枠(1)と、
受枠(1)に装着されるグレーチング(2)と、
を備えており、
受枠(1)は、
嵌め入れられたグレーチング(2)が収まり位置で外れないように止める係止手段(12,13,14)を有し、
グレーチング(2)は、
受枠(1)内の収まり位置で前記係止手段(12,13,14)と係止する係止部(221,23)を有し、収まり位置からずらすことで係止状態を解除して受枠(1)から外れる差込係止部材(2a,2b)と、
受枠(1)に固定することができ、受枠(1)に差込係止部材(2a,2b)を係止したときの受枠(1)の空き端部(17)に収まり、差込係止部材(2a,2b)のずれを止める端部止め部材(2c)と、
を備えている、
グレーチング装置。
【請求項５】
グレーチング(2)の載置部(11)及び設置したグレーチング(2)が上方へ取り外しできないようにする係止手段(12,13,14)が所要間隔で複数側壁部(10)の内側に設けてある受枠(1)に、係止グレーチング要素(2a,2b)と固着グレーチング要素(2c)を備えるグレーチング(2)を着脱する方法であって、
グレーチング(2)を取り付ける場合は、
前記係止手段(12,13,14)の間又は係止手段(12,13,14)と受枠(1)端の間の開口(18,19)から係止グレーチング要素(2a,2b)を受枠(1)内に入れ、載置部(11)上を滑動させて係止手段(12,13,14)の位置まで移動させて設置し、
係止グレーチング要素(2a,2b)を受枠(1)内に設置した後の受枠(1)端側の開口(17)に固着グレーチング要素(2c)を嵌め入れて開口(17)を閉鎖した後、受枠(1)に固着要素(15,16)で固着し、
受枠(1)からグレーチング(2)を取り外す場合は、
受枠(1)への固着を解除して受枠(1)から固着グレーチング要素(2c)を取り外し、その後受枠(1)内の係止グレーチング要素(2a,2b)を載置部(11)上を滑動させ、係止手段(12,13,14)の間又は係止手段(12,13,14)と受枠(1)端の間の開口(18,19)から取り出すようにした、
グレーチングの着脱方法。  
【発明の詳細な説明】
【技術分野】
【０００１】
本発明は、グレーチング装置及びグレーチングの着脱方法に関するものである。更に詳しくは、受枠とグレーチングを備えてなり、いたずら等によるグレーチングの取り外しをしにくくするとともに、清掃等のメンテナンスの際にはグレーチングの取り外し及び取り付けを簡単に行うことができるものに関する。
【背景技術】
【０００２】
例えば、屋外の路面に設けられている排水口あるいは屋内の浴室、厨房等の床に設けられている排水口には、グレーチング装置が取り付けられている。グレーチング装置は、一般的には排水口の口部に埋設される受枠と、これに嵌め入れるように載置され通水性を有するグレーチングを備えた構造である。
【０００３】
しかし、グレーチングを受枠に単に載置するだけでは、特に屋外においては、グレーチングが何らかの衝撃を受けて跳ね上がる危険があり、盗難にあうおそれもある。また、屋内においても、例えば学校等では生徒がいたずらをしてグレーチングを外したり裏返しにしたりすると、危険も伴うので安易に放置することはできない。このため、従来からグレーチングを外れにくくする様々な対策が講じられてきた（例えば特許文献１参照）。
【０００４】
特許文献１に記載のグレーチング蓋外れ止め装置は、グレーチング蓋の外周枠部より出入する一対の係合棹を備え、その係合棹を出入させる係合棹出入操作機構を、操作用ハンドルで旋回操作される回動中心軸と、その下端に固定された一対のカムと、係合棹に連結されていてカムによって往復操作がされる一対のカム従動部材とにより構成し、カムは、回動中心軸に固定されたベース板に形成された溝カムを使用し溝カム内にカム従動部材が嵌合され、回動中心軸とともにベース板を往復回動させることによって係合棹が軸方向に往復動作されるようになっており、集水桝等の開口部に設置されるグレーチング蓋が開口部より外れることを防止するものである。
【先行技術文献】
【特許文献】
【０００５】
【特許文献１】特開２００９−４１２１４公報
【発明の概要】
【発明が解決しようとする課題】
【０００６】
しかしながら、前記特許文献１に記載のグレーチング蓋外れ止め装置には、次のような課題があった。
すなわち、グレーチング蓋は、グレーチング蓋が備えているグレーチング蓋外れ止め装置によって外周枠部に止めるようになっている。この装置は、カムをはじめとして多くの可動部を有しており、グレーチング蓋を通る汚水や塵埃により動きにくくなるおそれがあった。また、可動部はグレーチング蓋の裏側（内部側）にあるので、可動部が動かなくなってグレーチング蓋が外れないときに可動部の修理または清掃を行う場合の作業性がきわめて悪かった。
【０００７】
さらに、長尺のグレーチング装置を施工する場合においては、グレーチング蓋が一枚では重く取り扱いが容易ではないので、排水口に施工された長尺の受枠に対し、短く適当な長さのグレーチング蓋を複数使用することになる。この場合、各グレーチング蓋に前記装置を備えたものでは、グレーチング蓋の数だけ取り付け及び取り外しの操作を行わなければならず、メンテナンス等の際の取り付け及び取り外し作業が繁雑になり、作業性が悪かった。
【０００８】
（本発明の目的）
本発明は、受枠とグレーチングを備えてなるグレーチング装置において、いたずら等によるグレーチングの取り外しをしにくくするとともに、清掃等のメンテナンスの際には、仮にグレーチングが複数使用されている場合も、グレーチングの取り外し及び取り付けを簡単に行うことができるグレーチング装置及びグレーチングの着脱方法を提供することを目的とする。
【課題を解決するための手段】
【０００９】
上記課題を解決するために本発明が講じた手段は次のとおりである。
本発明は、
排水部に設置するグレーチング装置であって、
グレーチングの受枠と、該受枠内に嵌め入れて装着するグレーチングを備えており、
前記受枠は、内方に向けて所要間隔で複数のグレーチングの係止手段が設けられている側壁部と、該側壁部から内方に向けて設けられているグレーチングの載置部を有し、
前記グレーチングは、
前記係止手段の間又は係止手段と受枠端の間の開口から受枠に入れられ、載置部上を滑動して前記係止手段の位置まで移動して設置し、設置後は前記係止手段によって上方への取り外しができない係止グレーチング要素と、
該係止グレーチング要素を受枠内に設置した後の受枠端側の開口を閉鎖し、受枠に固着要素で固着する固着グレーチング要素を備えている、
グレーチング装置である。
【００１０】
本発明は、
係止グレーチング要素が一又は二以上であり、固着グレーチング要素は単一であるように構成することができる。
【００１１】
本発明は、
施工部の口部に固定される受枠と、
受枠に装着されるグレーチングと、
を備えており、
グレーチングは、
受枠に対し嵌め入れて位置を収まり位置にずらすことによって、その位置において外れないように係止される所要数の差込係止部材と、
受枠に差込係止部材を係止した状態で、受枠の空き端部に嵌め入れて固定することにより差込係止部材のずれを止める端部止め部材と、
を備えている、
グレーチング装置である。
【００１２】
本発明は、
施工部の口部に固定される受枠と、
受枠に装着されるグレーチングと、
を備えており、
受枠は、
嵌め入れられたグレーチングが収まり位置で外れないように止める係止手段を有し、
グレーチングは、
受枠内の収まり位置で前記係止手段と係止する係止部を有し、収まり位置からずらすことで係止状態を解除して受枠から外れる差込係止部材と、
受枠に固定することができ、受枠に差込係止部材を係止したときの受枠の空き端部に収まり、差込係止部材のずれを止める端部止め部材と、
を備えている、
グレーチング装置である。
【００１３】
本発明は、
グレーチングの載置部及び設置したグレーチングが上方へ取り外しできないようにする係止手段が所要間隔で複数側壁部の内側に設けてある受枠に、係止グレーチング要素と固着グレーチング要素を備えるグレーチングを着脱する方法であって、
グレーチングを取り付ける場合は、
前記係止手段の間又は係止手段と受枠端の間の開口から係止グレーチング要素を受枠内に入れ、載置部上を滑動させて係止手段の位置まで移動させて設置し、
係止グレーチング要素を受枠内に設置した後の受枠端側の開口に固着グレーチング要素を嵌め入れて開口を閉鎖した後、受枠に固着要素で固着し、
受枠からグレーチングを取り外す場合は、
受枠への固着を解除して受枠から固着グレーチング要素を取り外し、その後受枠内の係止グレーチング要素を載置部上を滑動させ、係止手段の間又は係止手段と受枠端の間の開口から取り出すようにした、
グレーチングの着脱方法である。
【００１４】
（作用）
本発明に係るグレーチング装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１５】
床に形成した排水溝等の排水口に受枠(1)を埋設する等して固定する。
受枠(1)に、グレーチング(2)を構成する差込係止部材(2a)を嵌め入れ、収まり位置にずらして、受枠(1)の係止手段(12,13)に差込係止部材(2a)の係止部(221,23)を係止し、その位置では差込係止部材(2a)が上方へ外れないようにする。
【００１６】
同様に、次の差込係止部材(2b)を、すでに収まり位置にある差込係止部材(2a)の隣りに収めて上方へ外れないようにする。以下、差込係止部材を収める作業を必要な数だけ繰り返す。
そして、受枠(1)に前記差込係止部材(2a,2b)を係止したときの受枠(1)の空き端部(17)に、グレーチング(2)を構成する端部止め部材(2c)を収め、固定手段(26)(15,16)で受枠(1)に固定する。
【００１７】
端部止め部材(2c)が空き端部(17)に収まり固定されることによって、各差込係止部材(2a,2b)は収まり位置からずれることができないので、端部止め部材(2c)が固定されている限り、グレーチング(2)は受枠(1)から外れることはない。
【００１８】
また、グレーチング(2)を受枠(1)から外すときは、端部止め部材(2c)の固定を解除して取り外し、受枠(1)に空き端部(17)を形成する。これにより、各差込係止部材(2a,2b)は位置をずらすことができるようになり、位置をずらすことによって受枠(1)の係止手段(12,13,14)と差込係止部材(2a,2b)の係止部(221,23)の係止を解除して受枠(1)から取り外すことができる。
【００１９】
このように、グレーチング(1)を構成する差込係止部材(2a,2b)と端部止め部材(2c)において、差込係止部材(2a,2b)については、受枠(1)に嵌め入れた後、位置をずらすだけで、収まり位置と取り外し位置を設定できるので、グレーチング(2)の取り付け及び取り外し作業は比較的簡単に行うことができる。
【発明の効果】
【００２０】
本発明は、受枠とグレーチングを備えてなるグレーチング装置において、いたずら等によるグレーチングの取り外しをしにくくするとともに、清掃等のメンテナンスの際には、仮にグレーチングが複数使用されている場合も、グレーチングの取り外し及び取り付けを簡単に行うことができるグレーチング装置及びグレーチングの着脱方法を提供することができる。
【図面の簡単な説明】
【００２１】
【図１】本発明に係るグレーチング装置の一実施例を示す一部分解斜視図。
【図２】受枠の構造を示す斜視図。
【図３】グレーチング装置の平面図。
【図４】図３におけるＡ−Ａ拡大断面図。
【図５】図４におけるＢ−Ｂ断面図。
【図６】グレーチング装置を使用して床面に排水口を施工した状態を示し、グレーチング装置は図５のＣ−Ｃ断面である断面説明図。
【発明を実施するための形態】
【００２２】
本発明を図面に示した実施例に基づき詳細に説明する。
【実施例】
【００２３】
なお、図１、図３、図４、図５においては、図示の便宜上、後述する端部止め部材２ｃのカバー部材２８を上方へ回動させて開いた状態で図示しているが、カバー部材２８は通常は天板２８３がメインバー２０の上面と平行になるよう収めた状態で使用する。
【００２４】
グレーチング装置Ｇは、施工時においては施工部である排水口縁部等に固定される受枠１と、受枠１に装着されるグレーチング２を備えている。グレーチング装置Ｇを構成する受枠１とグレーチング２は、後述する作用の欄で説明する手順で一体化される。
【００２５】
〔受枠１〕
受枠１は、図２に示すように長尺な長方形状の枠体であり、山形鋼を使用して形成されている。これにより、受枠１は、全周にわたり側壁部１０が設けられ、その下端部の内側に載置部である受底部１１を有する構造となっている。なお、受枠１のサイズは、本実施例では長さ３０００ｍｍ、幅２１０ｍｍであるが、これに限定されるものではない。
【００２６】
受枠１の長尺側の両側壁部１０には、それぞれ三箇所に内方へ向け突出した横に長い係止突起１２、１３、１４が設けられている。
図２で奥側の各係止突起１２は、図１に示すように、後述する差込係止部材２ａを受枠１に収めたときに、奥側の端部の連結部２４ａに対応する位置に設けられている。
【００２７】
図２で中間部の各係止突起１３は、係止突起１２、１４の約二倍の長さに形成されている。係止突起１３は、図１に示すように、後述する差込係止部材２ａ、２ｂを受枠１に収めたときに、差込係止部材２ａにおいて手前側の端部の連結部２４ｂ及び差込係止部材２ｂにおいて奥側の端部の連結部２４ａに対応する位置に設けられている。
【００２８】
また、図２で手前側の各係止突起１４は、図１に示すように、後述する差込係止部材２ｂを受枠１に収めたときに、手前側の端部の連結部２４ｂに対応する位置に設けられている。なお、図２において、左側の長尺側の側壁部１０に設けられている各係止突起は見えないが、係止突起１４については図４に表れており、係止突起１３については図６に表れている。
【００２９】
受枠１において短尺側の一方側の受底部１１のほぼ中央部上面には、後述する端部止め部材２ｃを固定するための全ネジ形状のスタッドボルト１５が垂直に固定されている（図１、図４、図５参照）。スタッドボルト１５には、後述する固定具２６の通孔２６３を嵌め入れ、ナット１６を螺着し締め付けて固定する。スタッドボルト１５とナット１６は固着要素を構成する。
【００３０】
なお、受枠１の深さ（側壁部１０の上端縁から受底部１１の上面までの距離）は、後述するグレーチング２を収めたときに、各メインバー２０の上面が側壁部１０の上端縁と面一（同じ高さ）になるように設定されている（図４、図６参照）。
【００３１】
〔グレーチング２〕
グレーチング２は、本実施例では前記受枠１の大きさに対応して、二枚の係止グレーチング要素である差込係止部材２ａ、２ｂ及び一枚の固着グレーチング要素である端部止め部材２ｃによって構成されている。差込係止部材２ａ、２ｂ及び端部止め部材２ｃは、それぞれ同じ長さ及び幅に形成されており、本実施例では長さ９９９ｍｍ、幅２００ｍｍであるが、これに限定されるものではない。また、差込係止部材２ａ、２ｂは同じ構造であり、端部止め部材２ｃは、それらとは異なる構造を有している。なお、受枠の長さが変わる場合は、差込係止部材の数を増減して対応するようにする。
【００３２】
差込係止部材２ａ、２ｂは、前記したように同じ構造であるので、構造については差込係止部材２ａのみ説明する。
差込係止部材２ａは、長手方向と平行な複数（本実施例では１２本）のメインバー２０が幅方向に並設された構造を有している。各メインバー２０の間には、パイプ状のスペーサ２１が介在させてある。スペーサ２１は、メインバー２０の長手方向において複数箇所（本実施例では１０箇所）に所要数（本実施例では１１個）をセットとして使用されている。
【００３３】
差込係止部材２ａは、前記それぞれの箇所において幅方向に交互に配した各メインバー２０と各スペーサ２１を貫通して連結ボルト２２を通し、ボルトヘッド２２１とは反対側の端部にナット２３を螺着し締め付けて一体化した構造である（図６参照）。これにより、ボルトヘッド２２１またはナット２３と、後述するヘッド部２０１の下面との間には、前記係止突起１２が係止できる差込空間部２９が形成されている。
なお、連結ボルト２２を通した各部分を連結部２４（前記した連結部２４ａ、２４ｂを含む）としている。
【００３４】
また、メインバー２０は、図６に示すように、断面形状が略Ｔ字状で棒状の部材であり、上部のヘッド部２０１と、ヘッド部２０１の幅方向中央部から下方に垂設された支脚壁２０２で構成されている。ヘッド部２０１は、表層部（符号省略）を除き硬質の合成樹脂（硬質ポリ塩化ビニル等）により形成され、支脚壁２０２と一体となっている。表層部は軟質の合成樹脂（軟質ポリ塩化ビニル等）で形成され、両縁部に比べて中央部がやや高い形状である。
【００３５】
端部止め部材２ｃは、メインバー２０、スペーサ２１、連結ボルト２２及びナット２３を一体に組み合わせた点については、前記差込係止部材２ａと同様の構造を有している。端部止め部材２ｃは、差込係止部材２ａとほぼ同様の構造のものの長さ方向の一端側に差込金具２５を設け、他端側に固定具２６を設けた構造である（図１、図５参照）。
【００３６】
差込金具２５は、図６に示すように断面形状がほぼコ字状（開放側が上側）であり、端部止め部材２ｃにおいて図１で奥側端部の幅方向中央部に設けられている。差込金具２５は、端部の連結部２４において、両縦板２５０を、隣り合うスペーサ２１、２１の各外側の面と、メインバー２０の支脚壁２０２の内側の面で挟んで固定されている。また、差込金具２５の底板２５１の上面は、スペーサ２１、２１で挟まれているメインバー２０の支脚壁２０２の下端に当接している。
【００３７】
固定具２６は、端部止め部材２ｃにおいて図１で手前側端部の幅方向中央部に設けられている。固定具２６は、一本のメインバー２０の端部をやや短くして形成された取付空間部２７に配されている（図１、図３参照）。固定具２６は、断面形状がほぼコ字状（開放側が上側）に形成されており、両縦板２６０を前記差込金具２５とほぼ同様に固定して連結部２４に取り付けられている。
【００３８】
固定具２６の底板２６１は、下面が両側のメインバー２０の支脚壁２０２の下端と面一になっている。固定具２６において、図５で左端側には、固定具２６と重なる部分に位置する支脚壁２０２の下端を避ける切欠部２６２が設けられている。また、固定具２６において、図５で右端側には、前記受枠１のスタッドボルト１５を通す通孔２６３が設けられている。
【００３９】
また、前記取付空間部２７には、断面形状がほぼコ字状（開放側が下側）のカバー部材２８が配されている。カバー部材２８は、両縦板２８０の基部側がそれぞれ腕部２８１となっている。各腕部２８１には円孔２８２が設けられており、カバー部材２８は、各円孔２８２を連結部２４のスペーサ２１に外嵌めすることによって、上下方向に回動自在に取り付けられている。なお、カバー部材２８は、天板２８３がメインバー２０の上面と平行になって取付空間部２７に収まる角度から図５に示す約８０°の角度までの範囲で回動する。
【００４０】
（作用）
グレーチング装置Ｇを構成する受枠１とグレーチング２は、次の手順で組み合わせられ、図３に示すように一体化される。また、あわせて図６を参照し、グレーチング装置Ｇを使用し床面に施工された排水口の構造を簡単に説明する。
【００４１】
図６に示すように、床５に形成した排水溝４の排水口に受枠１を埋設して固定する。符号３は捨てコンクリート、６は位置設定具である。
【００４２】
受枠１の開口１８に、グレーチング２を構成する差込係止部材２ａを嵌め入れ、収まり位置（短尺側の側壁部１０に突き当たる位置）にずらして、受枠１の係止突起１２、１３に差込係止部材２ａの各差込空間部２９を位置させる。
これにより、係止突起１２、１３は、差込係止部材２ａの連結部２４ａ、２４ｂにおけるメインバー２０から突出しているボルトヘッド２２１及びナット２３と係止し、差込係止部材２ａは、その位置では上方へ外れないようになる。
【００４３】
次の差込係止部材２ｂを開口１９から入れ、すでに収まり位置にある差込係止部材２ａの隣りに同様にして収めて、差込係止部材２ａと同様に上方へ外れないようにする。
そして、受枠１に前記差込係止部材２ａ、２ｂを収まり位置に係止したときの受枠１の開口である空き端部１７（図１参照）に、グレーチング２を構成する端部止め部材２ｃを収め、スタッドボルト１５とナット１６によって受枠１に固定する。
【００４４】
端部止め部材２ｃが空き端部１７に収まり固定されることによって、各差込係止部材２ａ、２ｂは収まり位置からずれることができないので、端部止め部材２ｃが固定されている限り、グレーチング２は受枠１から外れることはない。
【００４５】
また、グレーチング２を受枠１から外すときは、端部止め部材２ｃの固定を解除して取り外し、受枠１に空き端部１７を形成する。これにより、各差込係止部材２ａ、２ｂは位置をずらすことができるようになり、位置をずらすことによって受枠１の係止突起１２、１３、１４と差込係止部材２ａ、２ｂの連結部２４ａ、２４ｂにおけるボルトヘッド２２１及びナット２３との係止を解除して受枠１の開口１８、１９から上方へ取り外すことができる。
【００４６】
このように、グレーチング２を構成する差込係止部材２ａ、２ｂと端部止め部材２ｃにおいて、差込係止部材２ａ、２ｂについては、受枠１に嵌め入れた後、位置をずらすだけで、収まり位置と取り外し位置に設定できるので、グレーチング２の取り付け及び取り外し作業は比較的簡単に行うことができる。
【００４７】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００４８】
Ｇ  グレーチング装置
１  受枠
１０  側壁部
１１  受底部
１２  係止突起
１３  係止突起
１４  係止突起
１５  スタッドボルト
１６  ナット
１７  空き端部
１８、１９  開口
２  グレーチング
２ａ  差込係止部材
２ｂ  差込係止部材
２ｃ  端部止め部材
２０  メインバー
２０１  ヘッド部
２０２  支脚壁
２１  スペーサ
２２  連結ボルト
２２１  ボルトヘッド
２３  ナット
２４  連結部
２４ａ  連結部
２４ｂ  連結部
２５  差込金具
２５０  縦板
２５１  底板
２６  固定具
２６０  縦板
２６１  底板
２６２  切欠部
２６３  通孔
２７  取付空間部
２８  カバー部材
２８０  縦板
２８１  腕部
２８２  円孔
２８３  天板
２９  差込空間部
【図１】
2010248863.tif 000003
【図２】
2010248863.tif 000004
【図３】
2010248863.tif 000005
【図４】
2010248863.tif 000006
【図５】
2010248863.tif 000007
【図６】
2010248863.tif 000008